【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域に設けられ、遊技球が進入可能な始動領域と、
前記始動領域への遊技球の進入を条件として、大役遊技の実行可否を決定する大役抽選に用いられる大役遊技用乱数を少なくとも取得し、保留情報として記憶部に記憶する乱数取得手段と、
始動条件の成立により、前記記憶部に記憶された前記大役遊技用乱数を読み出すとともに、該読み出した大役遊技用乱数に基づいて、前記大役遊技を実行可能とする大当たり抽選結果、および、該大役遊技を不実行とするハズレ抽選結果を含む抽選結果の中からいずれかの抽選結果を導出する抽選手段と、
前記抽選手段によって導出された抽選結果に基づいて、該抽選結果を報知する変動演出の実行態様を決定するための変動情報を決定する変動情報決定手段と、
前記変動情報決定手段によって決定された前記変動情報に基づいて、前記変動演出の実行態様を決定する変動演出態様決定手段と、
前記変動演出態様決定手段の決定にしたがって、前記変動演出を実行する変動演出実行手段と、
前記記憶部に保留情報が記憶されると、該保留情報に基づいて事前判定情報を導出する事前判定手段と、
前記事前判定手段によって前記事前判定情報が導出されてから、該事前判定情報に対応する保留情報が読み出されて導出される大役抽選の結果を報知する変動演出が終了するまでの所定の表示期間中に保留表示部に表示され、互いに識別可能な複数の表示パターンを有する保留表示の該表示期間中における表示態様を、該事前判定情報に基づいて決定する第１保留表示決定手段と、
前記第１保留表示決定手段によって決定される前記表示期間中の保留表示の表示態様には、該表示期間中に実行されるいずれかの変動演出を変化対象変動演出とし、該変化対象変動演出中に最初に表示される表示パターンと、該変化対象変動演出中に最終的に表示される表示パターンとが異なる変化表示態様が含まれており、該第１保留表示決定手段によって該変化表示態様が決定された場合、該変化対象変動演出の開始時に、該最初に表示される表示パターンから該最終的に表示される表示パターンまでの保留表示の表示パターンの変化態様を決定する変化態様決定処理を実行する第２保留表示決定手段と、
前記第１保留表示決定手段および前記第２保留表示決定手段の決定にしたがって、前記表示期間中、前記保留表示部に保留表示を表示制御する保留表示実行手段と、
を備え、
前記第１保留表示決定手段は、
前記保留表示の表示パターンにより、該保留表示に対応する保留情報によって前記大当たり抽選結果が導出される信頼度が示唆されるとともに、該保留表示の複数の表示パターンの信頼度が異なるように、該保留表示の表示態様を決定し、
前記変化表示態様を決定する場合、前記変化対象変動演出中に最終的に表示される表示パターンの信頼度が、該変化対象変動演出中に最初に表示される表示パターンの信頼度より高くなるように、該変化表示態様を決定し、
前記第２保留表示決定手段は、
前記変化態様決定処理において、前記第１保留表示決定手段によって決定されている前記変化対象変動演出の最初に表示される表示パターンおよび最終的に表示される表示パターンに基づき、該変化対象変動演出中に表示パターンを変化させ得る複数の変化タイミングそれぞれについて、該変化タイミング後に前記保留表示をいずれの表示パターンで表示するかを、該変化対象変動演出中に先に到来する変化タイミングから後に到来する変化タイミングまで順に決定するとともに、各変化タイミング後の表示パターンについて、該変化対象変動演出の最初の表示パターン、および、１つ前の変化タイミングについて決定された表示パターンの信頼度以上であって、最終的に表示される表示パターンの信頼度以下の表示パターンを決定し、かつ、少なくとも１の変化タイミングにおいて、最終的に表示される表示パターンを決定することを特徴とする遊技機。
【請求項２】
前記複数のタイミングは、前記変化対象変動演出の開始時に前記変動情報決定手段によって決定された前記変動情報、もしくは、前記変動演出態様決定手段によって決定された前記変動演出の実行態様に基づいて決定されることを特徴とする請求項１に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技球が流下する遊技領域が形成された遊技盤と、前記遊技領域に設けられ、遊技球が進入可能な始動領域と、前記始動領域への遊技球の進入を条件として、大役遊技の実行可否を決定する大役抽選に用いられる大役遊技用乱数を少なくとも取得し、保留情報として記憶部に記憶する乱数取得手段と、始動条件の成立により、前記記憶部に記憶された前記大役遊技用乱数を読み出すとともに、該読み出した大役遊技用乱数に基づいて、前記大役遊技を実行可能とする大当たり抽選結果、および、該大役遊技を不実行とするハズレ抽選結果を含む抽選結果の中からいずれかの抽選結果を導出する抽選手段と、前記抽選手段によって導出された抽選結果に基づいて、該抽選結果を報知する変動演出の実行態様を決定するための変動情報を決定する変動情報決定手段と、前記変動情報決定手段によって決定された前記変動情報に基づいて、前記変動演出の実行態様を決定する変動演出態様決定手段と、前記変動演出態様決定手段の決定にしたがって、前記変動演出を実行する変動演出実行手段と、前記記憶部に保留情報が記憶されると、該保留情報に基づいて事前判定情報を導出する事前判定手段と、前記事前判定手段によって前記事前判定情報が導出されてから、該事前判定情報に対応する保留情報が読み出されて導出される大役抽選の結果を報知する変動演出が終了するまでの所定の表示期間中に保留表示部に表示され、互いに識別可能な複数の表示パターンを有する保留表示の該表示期間中における表示態様を、該事前判定情報に基づいて決定する第１保留表示決定手段と、前記第１保留表示決定手段によって決定される前記表示期間中の保留表示の表示態様には、該表示期間中に実行されるいずれかの変動演出を変化対象変動演出とし、該変化対象変動演出中に最初に表示される表示パターンと、該変化対象変動演出中に最終的に表示される表示パターンとが異なる変化表示態様が含まれており、該第１保留表示決定手段によって該変化表示態様が決定された場合、該変化対象変動演出の開始時に、該最初に表示される表示パターンから該最終的に表示される表示パターンまでの保留表示の表示パターンの変化態様を決定する変化態様決定処理を実行する第２保留表示決定手段と、前記第１保留表示決定手段および前記第２保留表示決定手段の決定にしたがって、前記表示期間中、前記保留表示部に保留表示を表示制御する保留表示実行手段と、を備え、前記第１保留表示決定手段は、前記保留表示の表示パターンにより、該保留表示に対応する保留情報によって前記大当たり抽選結果が導出される信頼度が示唆されるとともに、該保留表示の複数の表示パターンの信頼度が異なるように、該保留表示の表示態様を決定し、前記変化表示態様を決定する場合、前記変化対象変動演出中に最終的に表示される表示パターンの信頼度が、該変化対象変動演出中に最初に表示される表示パターンの信頼度より高くなるように、該変化表示態様を決定し、前記第２保留表示決定手段は、前記変化態様決定処理において、前記第１保留表示決定手段によって決定されている前記変化対象変動演出の最初に表示される表示パターンおよび最終的に表示される表示パターンに基づき、該変化対象変動演出中に表示パターンを変化させ得る複数の変化タイミングそれぞれについて、該変化タイミング後に前記保留表示をいずれの表示パターンで表示するかを、該変化対象変動演出中に先に到来する変化タイミングから後に到来する変化タイミングまで順に決定するとともに、各変化タイミング後の表示パターンについて、該変化対象変動演出の最初の表示パターン、および、１つ前の変化タイミングについて決定された表示パターンの信頼度以上であって、最終的に表示される表示パターンの信頼度以下の表示パターンを決定し、かつ、少なくとも１の変化タイミングにおいて、最終的に表示される表示パターンを決定する。